(57)【要約】【課題】電子機器の入力操作用に使用される多方向入力用電子部品に関し、小型で安価なものの提供を目的とする。【解決手段】絶縁フィルム２１下面の円形リング状の抵抗層２２の所定角度位置の三ヵ所からの上出力部２３Ａ，２３Ｂ，２３Ｃと、絶縁基板２５上の三つの下出力部２７Ａ，２７Ｂ，２７Ｃのそれぞれを絶縁フィルム２１上に載せられた円形ドーム形状の駆動板２の外周下端部２Ａの下方で重なり接触させておき、操作時に駆動板２の上面を押圧操作される力で両者を圧接触させる構成とすることによって、絶縁フィルム２１の面積が小さく、また、接続加工用の設備や加工工数が不要である小型で安価な多方向入力用電子部品を実現できる。【選択図】  図１
2004311194.tif 000002
【特許請求の範囲】
【請求項１】
弾性金属薄板からなる円形ドーム形状の駆動板と、上面にこの駆動板の外周下端部が載り、下面にこの外周下端部よりも小径で同心の円形リング状の抵抗層およびその所定角度位置の三ヵ所から上記外周下端部の下方まで導出された三つの良導電性の上出力部が印刷形成された絶縁フィルムと、この絶縁フィルムの下面に重ねて配設され、上記抵抗層と所定の絶縁ギャップをあけて対向する上面位置に円形リング状の導体層が、その外方に上記三つの上出力部と重なり接触する三つの独立した良導電性の下出力部がそれぞれ形成された絶縁基板と、上面が押圧操作部で、下面の上記抵抗層に対応した突出部が上記駆動板の上部に載ると共に、上記絶縁基板と結合されたケースにより傾倒可能に支持された操作体からなり、上記操作体上面の所望の角度方向位置を押圧操作して上記操作体を傾倒させると、上記突出部が上記駆動板上面を押すことによりその外周下端部が下方の上記絶縁フィルムを押して上記三組の上出力部と下出力部を圧接触させると共に、上記駆動板の押圧された位置が部分弾性反転して、上記絶縁フィルムの一点を押して部分的に下方へ弾性変形させ、上記抵抗層の一点と上記導体層とを接触させる多方向入力用電子部品。
【請求項２】
絶縁フィルム下面の抵抗層が均一な比抵抗の円形リング状に形成され、三つの上出力部が１２０°の等角度間隔の位置に導出された請求項１記載の多方向入力用電子部品。
【請求項３】
絶縁フィルムの三つの上出力部が、円形リング状の抵抗層の外周近辺から駆動板の外周下端部の下方まで印刷形成された細幅の銀印刷層に被せて、この銀印刷層よりも少し幅広の上記抵抗層と一体の抵抗印刷層で覆ったものである請求項１記載の多方向入力用電子部品。
【請求項４】
駆動板および絶縁フィルムの中央に貫通孔を設け、操作体下面の突出部の先端よりも上記駆動板と絶縁フィルムの材厚分以上に多く、しかも上記操作体の傾倒動作を妨げない量だけ下方へ突出した突起を、上記操作体の下面中央に設けた請求項１記載の多方向入力用電子部品。
【請求項５】
絶縁基板上面の円形リング状の導体層の中央に配設した中央押圧スイッチを、操作体の中央に配設した押ボタンで、駆動板および絶縁フィルムの中央に設けた貫通孔を通して押圧操作する請求項１記載の多方向入力用電子部品。
【発明の詳細な説明】
【０００１】
【発明の属する技術分野】
本発明は、主として携帯電話、カーナビゲーションシステム等の各種電子機器の入力操作用に使用され、操作部の押圧操作により入力する、高さ寸法の小さい多方向入力用電子部品に関するものである。
【０００２】
【従来の技術】
従来のこの種の多方向入力用電子部品について、図１１〜図１４を用いて説明する。
【０００３】
なお、判り易くするために、各断面図における絶縁フィルム付近の厚さ寸法を拡大して表わしている。
【０００４】
図１１は従来の多方向入力用電子部品の正面断面図、図１２は分解斜視図である。
【０００５】
同図において、１は弾性を有する絶縁フィルムで、上面に弾性金属薄板からなる円形ドーム形状の駆動板２の外周下端部２Ａが可撓性の粘着フィルム３により固着され、その下面位置には、図１３の絶縁フィルムの下面図に示すように、駆動板２の外周下端部２Ａと同心で約１／２の直径である円形リング状の抵抗層４が、所定の比抵抗で印刷形成されていると共に、その所定角度位置の三ヶ所の出力点４Ａ，４Ｂ，４Ｃから駆動板２の外周よりも外方まで導出されたリード部４Ｄ，４Ｅ，４Ｆおよび、それぞれと導通した端部の上出力部５Ａ，５Ｂ，５Ｃが良導電性の塗料で印刷形成されている。
【０００６】
一方、６は硬質樹脂製の絶縁基板で、絶縁フィルム１が所定の絶縁ギャップをあけるように、外周および中央の粘着層８により固着され、絶縁フィルム１の抵抗層４と対向する位置に円形リング状の導体層９が、そして上出力部５Ａ，５Ｂ，５Ｃに対応する端部位置に三つの下出力部１０Ａ，１０Ｂ，１０Ｃがそれぞれ金属箔により設けられている。
【０００７】
なお、絶縁基板６は一般に、この多方向入力用電子部品を使用する電子機器の配線基板の一部が利用されており、導体層９および三つの下出力部１０Ａ，１０Ｂ，１０Ｃは、絶縁基板６のスルーホールを介した裏面または絶縁基板６上面の配線パターンにより電子機器の回路に接続されている。
【０００８】
そして、上記の絶縁フィルム１の三つの上出力部５Ａ，５Ｂ，５Ｃと絶縁基板６の三つの下出力部１０Ａ，１０Ｂ，１０Ｃの間は、図１２に示すコネクタとしての異方性導電フィルム１１（以下、ＡＣＦ１１と表わす）により、対応する上出力部と下出力部の間すなわち５Ａと１０Ａ，５Ｂと１０Ｂ，５Ｃと１０Ｃの間が導通接続されている。
【０００９】
そして、１２はこの多方向入力用電子部品を操作するための略円盤状の操作体で、ビス１３により絶縁基板６および下ケース１４Ｂと結合された上ケース１４Ａの孔１５の段部１５Ａによって傾倒可能に支持されると共に、絶縁フィルム１の抵抗層４に対応した径のリング状に下面に設けられた円形突出部１２Ａが駆動板２の上部に載り、通常状態においては上ケース１４Ａの上面と平行に維持されている。
【００１０】
このような構成の多方向入力用電子部品において、図１４の正面断面図に矢印で示すように、操作体１２上面の所望の角度方向位置を押圧操作すると、操作体１２は押された位置とは反対側の上ケース１４Ａの孔１５の段部１５Ａとの当接部を支点として傾倒し、下面の円形突出部１２Ａの押圧角度位置の部分が駆動板２を下方に押してクリック節度感を伴って部分弾性反転させ、その下方の絶縁フィルム１の抵抗層４の一つの接触点１６（図１３参照）を対向する絶縁基板６の導体層９に接触させる。
【００１１】
これによって、絶縁基板６の導体層９と抵抗層４の三つの上出力部５Ａ，５Ｂ，５Ｃとの間すなわち、絶縁基板６の導体層９と三つの下出力部１０Ａ，１０Ｂ，１０Ｃとの間には、接触点１６に対応したそれぞれの抵抗値が導出され、これらの抵抗値に対し、使用する電子機器の回路において、予め記憶されているデータと比較して所定の演算処理をすることにより、操作体１２を押圧操作して傾倒させた角度方向の入力信号を発する。
【００１２】
そして、操作体１２の上面を押圧する力を除くと、駆動板１２が自身の弾性復元力によって元の円形ドーム形状に復帰して操作体１２を元の状態に押し戻し、絶縁フィルム１の抵抗層４の接触点１６も絶縁基板６の導体層９から離れて、図１１の状態に復帰するものであった。
【００１３】
なお、本出願の発明に関連する先行技術文献情報としては、例えば、特許文献１、特許文献２が知られている。
【００１４】
【特許文献１】
特開平３−１２０７９０号公報
【特許文献２】
特開２００２−１１７７５１号公報
【００１５】
【発明が解決しようとする課題】
しかしながら、上記従来の多方向入力用電子部品においては、絶縁フィルム１の抵抗層４の三ヶ所の出力点４Ａ，４Ｂ，４Ｃを絶縁基板６の三つの下出力部１０Ａ，１０Ｂ，１０Ｃに接続するために、駆動板２の外周よりも外方の上出力部５Ａ，５Ｂ，５Ｃの位置まで長いリード部４Ｄ，４Ｅ，４Ｆを導出する構成であったため、絶縁フィルム１をその分だけ大きくする必要があり、また、絶縁フィルム１の上出力部５Ａ，５Ｂ，５Ｃを絶縁基板６の下出力部１０Ａ，１０Ｂ，１０Ｃにそれぞれ導通させるためのコネクタとしてのＡＣＦ１１は、ＡＣＦ１１中の接着剤を溶融させて、その中に分散している導電粒子で上出力部５Ａ，５Ｂ，５Ｃと下出力部１０Ａ，１０Ｂ，１０Ｃとを導通させるものであるから、接続時には、接着剤を溶融させるための所定温度への加熱および三組の上出力部と下出力部すなわち５Ａと１０Ａ、５Ｂと１０Ｂ、５Ｃと１０Ｃとの間を均一に加圧することが必要であり、そのための設備が必要であると共に、相当の加工工数がかかるという課題があった。
【００１６】
本発明は、このような従来の課題を解決するものであり、絶縁フィルムの抵抗層の所定角度位置の三ヶ所を絶縁基板の三つの下出力部に導通させるために、長いリード部を必要としないで絶縁フィルムの面積を小さくでき、また、接続加工用の特別な設備や加工工数が不要である小型で安価な多方向入力用電子部品を提供することを目的とする。
【００１７】
【課題を解決するための手段】
上記目的を達成するために本発明は、以下の構成を有するものである。
【００１８】
本発明の請求項１に記載の発明は、弾性金属薄板からなる円形ドーム形状の駆動板と、上面に駆動板の外周下端部が載り、下面に外周下端部よりも小径で同心の円形リング状の抵抗層およびその所定角度位置の三ヵ所から外周下端部の下方まで導出された三つの良導電性の上出力部が印刷形成された絶縁フィルムと、絶縁フィルムの下面に重ねて配設され、抵抗層と所定の絶縁ギャップをあけて対向する上面位置に円形リング状の導体層が、その外方に三つの上出力部と重なり接触する三つの独立した良導電性の下出力部がそれぞれ形成された絶縁基板と、上面が押圧操作部で、下面の抵抗層に対応した突出部が駆動板の上部に載ると共に、絶縁基板と結合されたケースにより傾倒可能に支持された操作体からなる多方向入力用電子部品としたものであり、操作体上面の所望の角度方向位置を押圧操作して操作体を傾倒させると、突出部が駆動板上面を押すことによりその外周下端部が下方の絶縁フィルムを押して重なり接触している三組の上出力部と下出力部を確実に圧接触させると共に、駆動板の押圧された位置が部分弾性反転して、絶縁フィルムの一点を押して部分的に下方へ弾性変形させ、抵抗層の一点と導体層とを接触させるので、絶縁フィルムの面積が小さいと共に、特別なコネクタ用の部材を使用しないで、操作体の押圧操作時に、絶縁フィルムの抵抗層の所定角度位置の三ヶ所を絶縁基板の三つの下出力部に確実に導通させることができる小型で安価な多方向入力用電子部品を実現できるという作用効果を有する。
【００１９】
請求項２に記載の発明は、請求項１記載の発明において、絶縁フィルム下面の抵抗層が均一な比抵抗の円形リング状に形成され、三つの上出力部が１２０°の等角度間隔の位置に導出されたものであり、請求項１に記載の発明による作用に加えて、絶縁フィルムの抵抗層の比抵抗が均一であるので、接触点の入力信号による押圧操作角度方向の精度が高いと共に、上出力部を等角度に配置しているため、操作体の押圧操作時において、駆動板の外周下端部が絶縁フィルムを押して三組の上出力部と下出力部を圧接触させる時の圧力が押圧位置にかかわらず安定して加わるようになるという作用効果を有する。
【００２０】
請求項３に記載の発明は、請求項１記載の発明において、絶縁フィルムの三つの上出力部が、円形リング状の抵抗層の外周近辺から駆動板の外周下端部の下方まで印刷形成された細幅の銀印刷層に被せて、銀印刷層よりも少し幅広の抵抗層と一体の抵抗印刷層で覆ったものであり、請求項１に記載の発明による作用に加えて、銀印刷層により上出力部の固有抵抗を小さくして入力信号の誤差を少なくすることができると共に、その上部を抵抗印刷層で覆うことによって銀印刷層の硫化を防止することができ、更に、上出力部が少し厚くなるので三つの上出力部と下出力部とをより確実に接触させることができるという作用効果を有する。
【００２１】
請求項４に記載の発明は、請求項１記載の発明において、駆動板および絶縁フィルムの中央に貫通孔を設け、操作体下面の突出部の先端よりも駆動板と絶縁フィルムの材厚分以上に多く、しかも上記操作体の傾倒動作を妨げない量だけ下方へ突出した突起を、操作体の下面中央に設けたものであり、請求項１に記載の発明による作用に加えて、操作体上面の所望の角度方向位置を押圧操作して操作体を傾倒させる際に、操作体上面の中央近くを押圧することによって操作体全体が下方に動き、駆動板の所望の角度方向位置以外の部分が弾性反転して誤動作することを防止できるという作用効果を有する。
【００２２】
請求項５に記載の発明は、請求項１記載の発明において、絶縁基板上面の円形リング状の導体層の中央に配設した中央押圧スイッチを、操作体の中央に配設した押ボタンで、駆動板および絶縁フィルムの中央に設けた貫通孔を通して押圧操作するものであり、操作体の所望の角度方向位置を押圧操作して傾倒させた角度方向の入力信号を発すると共に、押ボタンを押圧することにより別の独立した信号を発することができる多方向入力用電子部品を実現できるという作用効果を有する。
【００２３】
【発明の実施の形態】
以下、本発明の実施の形態について、図１〜図１０を用いて説明する。
【００２４】
なお、判り易くするために、各断面図における絶縁フィルム付近の厚さ寸法を拡大して表わしていることは、従来の技術の場合と同様であり、また、従来の技術の項で説明した構成と同一構成の部分には同一符号を付して、詳細な説明を省略する。
【００２５】
（実施の形態１）
実施の形態１を用いて、本発明の特に請求項１〜４に記載の発明について説明する。
【００２６】
図１は本発明の第１の実施の形態による多方向入力用電子部品の正面断面図、図２は絶縁フィルムと絶縁基板部分の分解斜視図である。
【００２７】
同図に示すように、本実施の形態１によるものは、従来の技術の項で説明したものに対し、絶縁フィルムの下面に形成された抵抗層の三ヶ所の出力点からの出力を絶縁基板の配線部に伝達する方法が異なっているものである。
【００２８】
すなわち、弾性を有する絶縁フィルム２１の上面には、弾性金属薄板からなる円形ドーム形状の駆動板２の外周下端部２Ａが可撓性の粘着フィルム３により固定されていることは従来の技術の場合と同様であるが、絶縁フィルム２１の下面には、図３（ａ）の絶縁フィルムの下面図に示すように、駆動板２の外周下端部２Ａの円（図２および図３（ａ）に一点鎖線で示す）と同心で約１／２の直径である円形リング状の抵抗層２２が所定の均一な比抵抗で印刷形成され、その等角度間隔位置である１２０°間隔に設けられた三ヶ所の出力点２２Ａ，２２Ｂ，２２Ｃから駆動板２の外周下端部２Ａの下方まで放射状に伸ばされた、三つの上出力部２３Ａ，２３Ｂ，２３Ｃが印刷形成されている。
【００２９】
この上出力部２３Ａ，２３Ｂ，２３Ｃは、図３（ａ）に示すように、円形リング形状の抵抗層２２の外周近辺から駆動体２の外周下端部２Ａの下方まで印刷形成された細幅の銀印刷層２４Ａ，２４Ｂ，２４Ｃに被せて、各銀印刷層よりも広幅で、抵抗層２２と一体の抵抗印刷層２４Ｄ，２４Ｅ，２４Ｆでそれぞれ覆われている。
【００３０】
上出力部２３Ａ，２３Ｂ，２３Ｃを上記構成にすることによって、その固有抵抗を抵抗層２２に比べて非常に小さくできると共に、銀印刷層２４Ａ，２４Ｂ，２４Ｃの硫化を防ぐことができる。
【００３１】
そして、この多方向入力用電子部品を使用する電子機器の配線基板の一部を利用した硬質樹脂製の絶縁基板２５の上面に、絶縁フィルム２１が所定のギャップをあけて、外周および中央の粘着層８により固定されていることも従来の技術の場合と同様である。
【００３２】
この絶縁基板２５の上面には、絶縁フィルム２１の抵抗層２２と対向する位置に、所定のギャップをあけて円形リング状の導体層２６が、また、駆動板２の外周下端部２Ａ下方の三つの上出力部２３Ａ，２３Ｂ，２３Ｃに対応する位置に、それぞれ重なり接触する三つの下出力部２７Ａ、２７Ｂ，２７Ｃが、金属箔により設けられている。
【００３３】
すなわち、絶縁フィルム２１の抵抗層２２の三ヶ所の出力点２２Ａ，２２Ｂ，２２Ｃからの上出力部２３Ａ，２３Ｂ，２３Ｃは、駆動板２の外周下端部２Ａの下方まで放射状に伸ばされるだけであり、絶縁フィルム２１の大きさは駆動板２の外周よりも周囲の粘着層８を含む大きさでよい。
【００３４】
そして、導体層２６および三つの下出力部２７Ａ，２７Ｂ，２７Ｃが、絶縁基板２５のスルーホールを介した裏面または絶縁基板２５上面の配線パターンにより電子機器の回路に接続されていることは、従来の技術の場合と同様である。
【００３５】
なお、絶縁フィルム２１の上出力部２３Ａ，２３Ｂ，２３Ｃは、図３（ａ）に示した上記構成以外でもよく、例えば、抵抗皮膜のみで構成してもよい。
【００３６】
また、図３（ｂ）に示すように、絶縁フィルム２１の上出力部２３Ａ，２３Ｂ，２３Ｃの抵抗印刷層２４Ｄ，２４Ｅ，２４Ｆの上に重ねて導電スペーサ層２８を印刷形成し、少し厚い上出力部２３Ｄ，２３Ｅ，２３Ｆとしてもよく、この構成であれば、厚み分が有利に働き、三組の上出力部と下出力部である２３Ｄと２７Ａ、２３Ｅと２７Ｂ、２４Ｆと２７Ｃの接触安定性が向上する。
【００３７】
そして、略円盤状の操作体１２が、ビス１３により絶縁基板２５および下ケース１４Ｂと結合された上ケース１４Ａの孔１５の段部１５Ａによって傾倒可能に支持され、その下面に設けられた絶縁フィルム２１の抵抗層２２に対応した径の円形突出部１２Ａが駆動板２の上部に載っていること、その円形突出部１２Ａはリング状に構成されていることも、従来の技術の場合と同様である。
【００３８】
本実施の形態による多方向入力用電子部品は以上のように構成されるものであり、次にその動作について説明する。
【００３９】
図４の正面断面図に矢印で示すように、操作体１２上面の所望の角度方向位置を押圧操作すると、操作体１２は押された位置とは反対側の上ケース１４Ａの孔１５の段部１５Ａとの当接部を支点として傾倒し、下面の円形突出部１２Ａの押圧角度位置の部分が駆動板２を下方に押すことにより、駆動板２は外周下端部２Ａ全体で下方の絶縁フィルム２１を押して、重なり接触している三組の上出力部と下出力部すなわち２３Ａと２７Ａ、２３Ｂと２７Ｂ、２３Ｃと２７Ｃを確実に圧接触させると共に、駆動板２の押圧された位置がクリック節度感を伴って部分弾性反転して下方の絶縁フィルム２１を押し、その下面の抵抗層２２の一つの接触点２９（図３（ａ）参照）を対向する絶縁基板２５の導体層２６に接触させる。
【００４０】
これによって、絶縁基板２５の導体層２６と抵抗層２２の三つの上出力部２３Ａ，２３Ｂ，２３Ｃとの間すなわち、絶縁基板２５の導体層２６と三つの下出力部２７Ａ，２７Ｂ，２７Ｃとの間には、接触点２９に対応したそれぞれの抵抗値が導出され、これらの抵抗値に対し、使用する電子機器の回路において、予め記憶されているデータと比較して所定の演算処理をすることにより、操作体１２を押圧操作して傾倒させた角度方向の入力信号を発するものである。
【００４１】
そして、操作体１２の上面を押圧する力を除くと、駆動板１２が自身の弾性復元力によって元の円形ドーム形状に復帰して操作体１２を元の位置に押し戻し、絶縁フィルム２１の抵抗層２２の接触点２９も絶縁基板２５の導体層２６から離れて図１の状態に復帰する。
【００４２】
このように本実施の形態１によるものは、絶縁フィルム２１の抵抗層２２の所定角度位置の三ヵ所からの上出力部２３Ａ，２３Ｂ，２３Ｃと絶縁基板２５の三つの下出力部２７Ａ，２７Ｂ，２７Ｃを駆動板２の外周下端部２Ａの下方で重なり接触させておいて、操作時に駆動板２が押されることにより両者を圧接触により導通させるものであるため、長いリード部を必要とせず、その分絶縁フィルム２１の面積を小さくでき、また、接続加工用の特別な設備や加工工数が不要であって、小型で安価な多方向入力用電子部品を実現できるものである。
【００４３】
そして、絶縁フィルム２１の円形リング状の抵抗層２２を所定の均一な比抵抗で印刷形成し、その三ヶ所の出力点２２Ａ，２２Ｂ，２２Ｃを１２０°の等角度間隔位置に設け、各出力点２２Ａ，２２Ｂ，２２Ｃからの三つの上出力部２３Ａ，２３Ｂ，２３Ｃを細幅の銀印刷層２４Ａ，２４Ｂ，２４Ｃとこれを覆う抵抗印刷層２４Ｄ，２４Ｅ，２４Ｆで構成すると、押圧操作角度方向の誤差が少なくて検出位置精度の高い多方向入力用電子部品とすることができる。
【００４４】
なお、上記には、押圧操作の事例を説明しているが、操作形態として摺動操作をした場合にも、操作体１２には下方の押圧力が加わるようになるため、上記内容と同等の効果が得られる。
【００４５】
次に、上記に説明した実施の形態１による多方向入力用電子部品の他の構成事例について、図５の正面断面図および図６の分解斜視図を用いて説明する。
【００４６】
すなわち、同図に示すように、その構成は、駆動板３０および絶縁フィルム３１の中央それぞれに貫通孔３０Ａおよび３１Ａが設けられると共に、操作体３２の下面中央に突起３３が設けられ、その他の部分は上記に説明したものと同じ構成になっているものである。
【００４７】
そして、この突起３３は、操作体３２下面の円形突出部３２Ａよりも駆動板３０と絶縁フィルム３１の材厚分以上に長く、しかも操作体３２の傾倒動作を妨げない量だけ下方へ突出している。
【００４８】
上記構成の多方向入力用電子部品は、操作体３２上面の所望の角度方向位置を押圧操作して傾倒させた角度方向の入力信号が発せられることは上記の場合と同じであるが、操作体３２上面を押圧操作する際に、図７の押圧操作時の正面断面図に示すように、操作体３２上面の中央近くを押圧することによって操作体全体３２が下方に動くと、駆動板３０の所望の角度方向位置以外の位置が弾性反転するよりも先に操作体３２下面の突起３３が絶縁基板２５に当たり、所望の角度方向以外の入力信号を発して誤動作することを防止できるものである。
【００４９】
（実施の形態２）
実施の形態２を用いて、本発明の特に請求項５に記載の発明について説明する。
【００５０】
なお、実施の形態１の構成と同一構成の部分には同一符号を付して、詳細な説明を省略する。
【００５１】
図８は本発明の第２の実施の形態による多方向入力用電子部品の正面断面図、図９は分解斜視図であり、同図に示すように、本実施の形態２によるものは、実施の形態１の中で他の構成事例として図５および図６を用いて説明したものを更に改良したものである。
【００５２】
つまり、本実施の形態２によるものは、駆動板３０および絶縁フィルム３１に加えて操作体３４の中央にそれぞれ貫通孔３０Ａおよび３１Ａならびに３４Ａが設けられると共に、絶縁基板３５上面の円形リング状の導体層２６の中央に中央押圧スイッチ３６が配設され、操作体３４中央の貫通孔３４Ａ内には押ボタン３７が上下動可能に支持されている。
【００５３】
この中央押圧スイッチ３６は、絶縁基板３５上に金属箔により同心状に設けられた中央固定接点３８Ａと周辺固定接点３８Ｂに対し、弾性金属薄板からなる円形ドーム形状の可動接点３９の中央頂部３９Ａが中央固定接点３８Ａと所定の間隔をあけて対峙するように外周下端部３９Ｂを周辺固定接点３８Ｂ上に載せて、その外周を可撓性の粘着フィルム４０により固定して構成されたものである。
【００５４】
そして、押ボタン３７は、下面突部３７Ａが可動接点３９の上面位置を押圧可能なように、粘着フィルム４０を介して可動接点３９上に載せられて配されている。
【００５５】
本実施の形態による多方向入力用電子部品においても、操作体３４上面の所望の角度方向位置を押圧操作して傾斜させた角度方向の入力信号を発することは前述の実施の形態１によるものの場合と同じである。
【００５６】
これに加えて、本実施の形態２によるものは、図１０の正面断面図に示すように、押ボタン３７を押圧操作することにより、所定の押圧ストロークで中央押圧スイッチ３６の可動接点３９が弾性反転して、中央頂部３９Ａ裏面が中央固定接点３８Ａに接触し、周辺固定接点３８Ｂと中央固定接点３８Ａとの間が導通する。
【００５７】
すなわち、操作体３４上面を操作する場合の信号とは別の独立した信号を発することができるものである。
【００５８】
この後、押ボタン３７に加える押力を除くと、可動接点３９の弾性復元力により中央頂部３９Ａは中央固定接点３８Ａから離れ、押ボタン３７を押し上げて元の図８の状態に戻る。
【００５９】
このように、本実施の形態２によるものは、操作体３４の操作と押ボタン３７の操作とで異なる信号が得られ、例えば前者で位置選択をし後者で決定すると使用方法に容易に適用できるものである。
【００６０】
【発明の効果】
以上のように本発明によれば、絶縁フィルムの抵抗層の所定角度位置の三ヶ所からの上出力部と絶縁基板の三つの下出力部を駆動板の外周下端部の下方で重なり接触させておいて、操作時に駆動板が押されることにより両者を圧接触により導通させるものであるので、長いリード部を必要としないで絶縁フィルムの面積を小さくでき、また、接続加工用の特別な設備や加工工数が不要にできる小型で安価な多方向入力用電子部品を容易に実現できるという有利な効果が得られる。
【図面の簡単な説明】
【図１】本発明の第１の実施の形態による多方向入力用電子部品の正面断面図
【図２】同絶縁フィルムと絶縁基板部分の分解斜視図
【図３】（ａ）同絶縁フィルムの下面図
（ｂ）同他の構成の絶縁フィルムの下面図
【図４】同押圧操作時の正面断面図
【図５】同他の構成の多方向入力用電子部品の正面断面図
【図６】同分解斜視図
【図７】同押圧操作時の正面断面図
【図８】本発明の第２の実施の形態による多方向入力用電子部品の正面断面図
【図９】同分解斜視図
【図１０】同押ボタンを押して中央押圧スイッチを動作させる場合の正面断面図
【図１１】従来の多方向入力用電子部品の正面断面図
【図１２】同分解斜視図
【図１３】同絶縁フィルムの下面図
【図１４】同押圧操作時の正面断面図
【符号の説明】
２，３０  駆動板
２Ａ  駆動板の外周下端部
３，４０  粘着フィルム
８  粘着層
１２，３２，３４  操作体
１２Ａ，３２Ａ  円形突出部
１３  ビス
１４Ａ  上ケース
１４Ｂ  下ケース
１５  孔
１５Ａ  段部
２１，３１  絶縁フィルム
２２  抵抗層
２２Ａ，２２Ｂ，２２Ｃ  出力点
２３Ａ，２３Ｂ，２３Ｃ，２３Ｄ，２３Ｅ，２３Ｆ  上出力部
２４Ａ，２４Ｂ，２４Ｃ  銀印刷層
２４Ｄ，２４Ｅ，２４Ｆ  抵抗印刷層
２５，３５  絶縁基板
２６  導体層
２７Ａ，２７Ｂ，２７Ｃ  下出力部
２８  導電スペーサ
２９  接触点
３０Ａ，３１Ａ，３４Ａ  貫通孔
３３  突起
３６  中央押圧スイッチ
３７  押ボタン
３７Ａ  下面突部
３８Ａ  中央固定接点
３８Ｂ  周辺固定接点
３９  可動接点
３９Ａ  中央頂部
３９Ｂ  外周下端部
【図１】
2004311194.tif 000003
【図２】
2004311194.tif 000004
【図３】
2004311194.tif 000005
【図４】
2004311194.tif 000006
【図５】
2004311194.tif 000007
【図６】
2004311194.tif 000008
【図７】
2004311194.tif 000009
【図８】
2004311194.tif 000010
【図９】
2004311194.tif 000011
【図１０】
2004311194.tif 000012
【図１１】
2004311194.tif 000013
【図１２】
2004311194.tif 000014
【図１３】
2004311194.tif 000015
【図１４】
2004311194.tif 000016